【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
磁気共鳴装置（５）によりボリューム部分の内部のＭＲデータを取得する方法であって、
その方法が、次のステップａ）〜ｆ）、
ａ）第１の共鳴高周波パルス（３１）が照射されるステップ、
ｂ）第２の共鳴高周波パルス（３２）が照射されるステップ、
ｃ）第１の共鳴高周波パルス（３１）の後でかつ第２の共鳴高周波パルス（３２）の前に印加されるディフェーズ用の第１の傾斜磁場（４１）が印加されるステップ、
ｄ）第２の共鳴高周波パルス（３２）の後に第３の共鳴高周波パルス（３３）が照射されるステップ、
ｅ）第１の傾斜磁場（４１）によって準備された磁化成分の励起エコー（ＳＥ）をリフォーカスするために第３の共鳴高周波パルス（３３）の後に第２の傾斜磁場（４２）が印加されるステップ、
ｆ）ＭＲデータが読み出されるステップ、
を含むシーケンス（６１，６２）により、繰り返しＭＲデータを取得し、
第１のシーケンス（６１）の実行時に第１の傾斜磁場（４１）および第２の傾斜磁場（４２）の少なくとも一方が、第１のシーケンスの実行の直ぐ後に続く第２のシーケンス（６２）の実行時の第１の傾斜磁場（４１）もしくは第２の傾斜磁場（４２）とは異ならせて設定されている
ＭＲデータの取得方法。
【請求項２】
ボリューム部分が１つのスライスを含み、第１の共鳴高周波パルス（３１）の期間中、第２の共鳴高周波パルス（３２）の期間中および第３の共鳴高周波パルス（３３）の期間中に、それぞれ１つのスライス選択傾斜磁場が印加されることを特徴とする請求項１記載の方法。
【請求項３】
第１の共鳴高周波パルス（３１）により、第２の共鳴高周波パルス（３２）により、そして第３の共鳴高周波パルス（３３）により、それぞれ３次元のボリューム部分の全体が励起されることを特徴とする請求項１記載の方法。
【請求項４】
第２の共鳴高周波パルス（３２）の後でかつ第３の共鳴高周波パルス（３３）の前に、磁化の横方向成分をディフェーズするために、スポイラー傾斜磁場（４３）が印加されることを特徴とする請求項１乃至３の１つに記載の方法。
【請求項５】
第１の共鳴高周波パルス（３１）および第２の共鳴高周波パルス（３２）が、それぞれ９０°のフリップ角を有することを特徴とする請求項１乃至４の１つに記載の方法。
【請求項６】
シーケンス（６１；６２）において第３の共鳴高周波パルス（３３）が照射されるステップと、第２の傾斜磁場（４２）が印加されるステップと、読み出しステップとが繰り返し実行されることを特徴とする請求項１乃至５の１つに記載の方法。
【請求項７】
磁気共鳴装置（５）によりボリューム部分の内部のＢ１磁場を決定する方法であって、
核スピンの回転運動の位相シフトを検出するために請求項１乃至６の１つに記載の方法が使用され、
その位相シフトが、第１のシーケンスおよび第２のシーケンスの少なくとも一方の実行中に非共鳴高周波パルス（３４）を照射することによって発生させられ、
その位相シフトに応じてＢ１磁場の振幅が決定され、
第１の共鳴高周波パルス（３１）の後でかつ第２の共鳴高周波パルス（３２）の前に、非共鳴高周波パルス（３４）が照射され、
その位相シフトが、第１のシーケンス（６１）の実行時および第２のシーケンス（６２）の実行時に取得されるＭＲデータに関係して決定される２つの位相値の差から決定される
Ｂ１磁場の決定方法。
【請求項８】
非共鳴高周波パルス（３４）が、第１のシーケンス（６１）の実行中にも第２のシーケンス（６２）の実行中にも生成され、
第１のシーケンス（６１）の実行時に非共鳴高周波パルス（３４）が第１の周波数を有し、
第２のシーケンス（６２）の実行時に非共鳴高周波パルス（３４）が第１の周波数とは異なる第２の周波数を有することを特徴とする請求項７記載の方法。
【請求項９】
非共鳴高周波パルス（３４）の周波数が、２つの相前後するシーケンス（６１，６２）において、一方のシーケンスではスピン系の周波数を上回り、他方のシーケンスではスピン系の周波数を下回ることを特徴とする請求項８記載の方法。
【請求項１０】
シーケンスが３回実行され、
３つのシーケンスのうち第１のシーケンスでは非共鳴高周波パルス（３４）が照射されず、
３つのシーケンスのうち第２および第３のシーケンスでは非共鳴高周波パルス（３４）が照射され、
第２のシーケンスでの非共鳴高周波パルス（３４）の周波数が、第３のシーケンスでの非共鳴高周波パルス（３４）の周波数とは異なることを特徴とする請求項７記載の方法。
【請求項１１】
複数の送信チャンネル（９）を有する磁気共鳴装置（５）において、少なくとも１つの送信チャンネル（９）によって生成されるＢ１磁場を決定するために、非共鳴高周波パルス（３４）が、２つのシーケンス（６１，６２）においてそれぞれ複数の送信チャンネル（９）のうち同じ少なくとも１つの送信チャンネルによって照射されることを特徴とする請求項７乃至１０の１つに記載の方法。
【請求項１２】
ボリューム部分の内部のＭＲデータを取得する磁気共鳴装置であって、
磁気共鳴装置（５）が、静磁場磁石（１）と、傾斜磁場システム（３）と、少なくとも１つの高周波アンテナ（４）と、少なくとも１つの受信コイル要素と、傾斜磁場システム（３）および少なくとも１つの高周波アンテナ（４）を制御し、少なくとも１つの受信コイル要素によって収集された測定信号を受信し、それらの測定信号を評価しかつＭＲデータを生成するための制御装置（１０）とを含み、
磁気共鳴装置（５）が、ＭＲデータを取得するシーケンス（６１；６２）を繰り返し実行するべく、シーケンス（６１；６２）ごとに、
ａ）少なくとも１つの高周波アンテナ（４）により、第１の共鳴高周波パルス（３１）を照射し、
ｂ）少なくとも１つの高周波アンテナ（４）により、第２の共鳴高周波パルス（３２）を照射し、
ｃ）傾斜磁場システム（３）により、第１の共鳴高周波パルス（３１）の後でかつ第２の共鳴高周波パルス（３２）の前に、ディフェーズ用の第１の傾斜磁場（４１）を印加し、
ｄ）少なくとも１つの高周波アンテナ（４）により、第２の共鳴高周波パルス（３２）の後に第３の共鳴高周波パルス（３３）を照射し、
ｅ）傾斜磁場システム（３）により、第１の傾斜磁場（４１）によって準備された磁化成分の励起エコーをリフォーカスするために第３の共鳴高周波パルス（３３）の後に第２の傾斜磁場（４２）を印加し、
ｆ）ＭＲデータを読み出す
ように構成されており、かつ
磁気共鳴装置（５）が、第１のシーケンス（６１）の実行時に第１の傾斜磁場（４１）および第２の傾斜磁場（４２）の少なくとも一方を、第１のシーケンス（６１）の実行の直ぐ後に続く第２のシーケンス（６２）の実行時の第１の傾斜磁場（４１）もしくは第２の傾斜磁場（４２）とは異ならせて設定するように構成されている
磁気共鳴装置。
【請求項１３】
磁気共鳴装置（５）が請求項１乃至１１の１つに記載の方法を実施するように構成されていることを特徴とする請求項１２記載の磁気共鳴装置。
【請求項１４】
プログラムを含み、磁気共鳴装置（５）のプログラム可能な制御装置（１０）のメモリに直接にロード可能であり、プログラムが磁気共鳴装置（５）の制御装置（１０）において実行される際に請求項１乃至１１の１つに記載の方法の全てのステップを実行するためのプログラム手段を有するコンピュータプログラム。
【請求項１５】
磁気共鳴装置（５）の制御装置（１０）内でのデータ媒体（２１）の使用時に請求項１乃至１１の１つに記載の方法を実行するように構成されている、電子的に読取可能な制御情報が記憶されている電子的に読取可能なデータ媒体。